(57)【要約】【課題】通信経路に異常が発生した場合に、必要な情報を迅速に提供することができる通信ネットワークシステムを提供する。【解決手段】互いに隣り合った通信局間では、各検出手段（検出手段１１Ａ、検出手段１１Ｂおよび検出手段３１）の間で、常時、IEEE802.3のリンクパルスの送受信が実行され、送受信が不能となった場合、各検出手段では当該隣接する通信局との間の接続が切断状態にあると判断する。この場合、各中継通信局では、検出手段３１において接続の切断状態が検出されると、通知手段３２は対応する通信経路４または通信経路５の正常部分を用いて、端末通信局１および端末通信局２に切断状態が検出されたことを通知する。【選択図】図１
2008166875.tif 000002
【特許請求の範囲】
【請求項１】
中継通信局を介する通信経路によって端末通信局間が接続された通信ネットワークシステムにおいて、
前記中継通信局または前記端末通信局を構成する隣り合った通信局間で所定の信号を送受信することで、当該通信局間での通信異常を検出する検出手段と、
前記検出手段で通信異常が検出された場合に、前記通信経路の正常部分を介して、その通信異常を前記端末通信局に通知する通知手段と、
を備えることを特徴とする通信ネットワークシステム。
【請求項２】
中継通信局を介する二重化された通信経路によって端末通信局間が接続された通信ネットワークシステムにおいて、
前記中継通信局または前記端末通信局を構成する隣り合った通信局間で所定の信号を送受信することで、当該通信局間での通信異常を検出する検出手段と、
前記検出手段で通信異常が検出された場合に、通信異常が検出された当該通信経路の正常部分を介して、その通信異常を前記端末通信局に通知する通知手段と、
前記通知手段により通信異常が通知された場合、前記端末通信局が使用する通信経路として、通信異常が検出されていない他の通信経路を選択する選択手段と、
を備えることを特徴とする通信ネットワークシステム。
【請求項３】
二重化された前記通信経路は、互いに共有部分を有しないことを特徴とする請求項２に記載の通信ネットワークシステム。
【請求項４】
前記検出手段は、IEEE802.3のリンクパルスの送受信により通信異常を検出することを特徴とする請求項１〜３のいずれか１項に記載の通信ネットワークシステム。
【発明の詳細な説明】
【技術分野】
【０００１】
本発明は、中継通信局を介する通信経路によって端末通信局間が接続された通信ネットワークシステムに関する。
【背景技術】
【０００２】
中継通信局を介する通信経路によって端末通信局間を接続して構成された通信ネットワークシステムが知られている。通信経路を二重化する場合には、端末通信局どうしを独立した２つの通信経路で接続し、通信経路を選択的に使用することができる。使用中の通信経路に異常が発生し通信不能となった場合には、例えば、所定回数にわたり通信を試行し、相手方からの応答がない場合には使用する通信経路を切り替えることで、通信の継続が可能となる。
【特許文献１】特開２００１−１３６１７８号公報
【発明の開示】
【発明が解決しようとする課題】
【０００３】
しかし、通信経路に介在する中継通信局が多数ある場合などには、通信の試行結果を１回得るのに長時間を要し、通信経路の迅速な切り換えができないという問題がある。また、試行の結果、通信不能が確認されても、異常発生箇所は不明なままであり、通信経路の復旧作業が困難となる。
【０００４】
本発明の目的は、通信経路に異常が発生した場合に、必要な情報を迅速に提供することができる通信ネットワークシステムを提供することにある。
【課題を解決するための手段】
【０００５】
本発明の通信ネットワークシステムは、中継通信局を介する通信経路によって端末通信局間が接続された通信ネットワークシステムにおいて、前記中継通信局または前記端末通信局を構成する隣り合った通信局間で所定の信号を送受信することで、当該通信局間での通信異常を検出する検出手段と、前記検出手段で通信異常が検出された場合に、前記通信経路の正常部分を介して、その通信異常を前記端末通信局に通知する通知手段と、を備えることを特徴とする。
この通信ネットワークシステムによれば、通信局間での通信異常が検出された場合に、通信経路の正常部分を介して、その通信異常を端末通信局に通知するので、通信異常を迅速に通知できる。
【０００６】
本発明の通信ネットワークシステムは、中継通信局を介する二重化された通信経路によって端末通信局間が接続された通信ネットワークシステムにおいて、前記中継通信局または前記端末通信局を構成する隣り合った通信局間で所定の信号を送受信することで、当該通信局間での通信異常を検出する検出手段と、前記検出手段で通信異常が検出された場合に、通信異常が検出された当該通信経路の正常部分を介して、その通信異常を前記端末通信局に通知する通知手段と、前記通知手段により通信異常が通知された場合、前記端末通信局が使用する通信経路として、通信異常が検出されていない他の通信経路を選択する選択手段と、を備えることを特徴とする。
この通信ネットワークシステムによれば、通信局間での通信異常が検出された場合に、通信経路の正常部分を介して、その通信異常を端末通信局に通知し、通信異常が検出されていない他の通信経路を選択するので、通信経路を迅速に切り替えることができる。
【０００７】
二重化された前記通信経路は、互いに共有部分を有しなくてもよい。
【０００８】
前記検出手段は、IEEE802.3のリンクパルスの送受信により通信異常を検出してもよい。
【発明の効果】
【０００９】
本発明の通信ネットワークシステムによれば、通信局間での通信異常が検出された場合に、通信経路の正常部分を介して、その通信異常を端末通信局に通知するので、通信異常を迅速に通知できる。
【００１０】
本発明の通信ネットワークシステムによれば、通信局間での通信異常が検出された場合に、通信経路の正常部分を介して、その通信異常を端末通信局に通知し、通信異常が検出されていない他の通信経路を選択するので、通信経路を迅速に切り替えることができる。
【発明を実施するための最良の形態】
【００１１】
以下、図１〜図４を参照して、本発明による通信ネットワークシステムの実施形態について説明する。
【００１２】
図１（ａ）は、本発明による通信ネットワークシステムの一実施形態の構成を示すブロック図、図１（ｂ）は、端末通信局および中継通信局の構成を示すブロック図である。
【００１３】
図１（ａ）に示すように、本実施形態の通信ネットワークシステムは、端末通信局１と、端末通信局２と、端末通信局１および端末通信局２を接続する２系統の通信経路４および通信経路５と、を含んで構成される。通信経路４は、中継通信局ＲＡ１，ＲＡ２，・・・ＲＡｎを介して、通信経路５は、中継通信局ＲＢ１，ＲＢ２，・・・ＲＢｎを介して、それぞれ形成され、通信経路が二重化されている。図１（ａ）に示すように、通信経路４および通信経路５は、互いに共有部分をもたない。
【００１４】
端末通信局１および端末通信局２は、互いに通信経路４または通信経路５を選択的に用いて通信を実行する。中継通信局ＲＡ１，ＲＡ２，・・・ＲＡｎ、中継通信局ＲＢ１，ＲＢ２，・・・ＲＢｍは、それぞれ中継先を切り換え可能なスイッチとして構成されており、通信先の指定に応じて、通信経路を切り替える機能を有する。通信経路４および通信経路５は、端末通信局１および端末通信局２間の通信時に形成される通信経路であり、中継通信局のスイッチとしての機能により、他の端末通信局への通信経路４１，４２，５１，５２等、別の通信経路も形成可能とされる。図１（ａ）は、通信ネットワークシステムのうち、端末通信局１および端末通信局２間の通信に関係する部分のみを示すものである。
【００１５】
図１（ｂ）に示すように、端末通信局１は、隣接する中継通信局ＲＡ１との間の接続の切断状態を検出する検出手段１１Ａと、隣接する中継通信局ＲＢ１との間の接続の切断状態を検出する検出手段１１Ｂと、検出手段１１Ａおよび検出手段１１Ｂにおける検出結果、または後述する通知手段３２からの通知に応じて、端末通信局２との通信で使用する通信経路として、通信経路４または通信経路５を選択する選択手段１２と、を構成する。端末通信局２も、端末通信局１と同様に構成される。
【００１６】
また、中継通信局ＲＡ１は、隣り合った通信局（端末通信局１および中継通信局ＲＡ２）との間の接続の切断状態を検出する検出手段３１と、検出手段３１で切断状態が検出された場合に、切断状態が検出されたことを、端末通信局１および端末通信局２に通知する通知手段３２と、を構成する。他の中継通信局ＲＡ２，・・・ＲＡｎ、中継通信局ＲＢ１，ＲＢ２，・・・ＲＢｍも同様に構成される。
【００１７】
次に、本実施形態の通信ネットワークシステムの動作について説明する。
【００１８】
互いに隣り合った通信局間では、各検出手段（検出手段１１Ａ、検出手段１１Ｂおよび検出手段３１）の間で、常時、IEEE802.3のリンクパルスの送受信が実行され、送受信が不能となった場合、各検出手段では当該隣接する通信局との間の接続が切断状態にあると判断する。この場合、各中継通信局では、検出手段３１において接続の切断状態が検出されると、通知手段３２は対応する通信経路４または通信経路５の正常部分を用いて、端末通信局１および端末通信局２に切断状態が検出されたことを通知する。
【００１９】
図２（ａ）は、通信経路４の部位Ｐで切断が発生した場合の通知経路を示している。中継通信局ＲＡ１と中継通信局ＲＡ２の間の部位Ｐで通信経路が切断状態となった場合、中継通信局ＲＡ１の検出手段３１で切断状態が検出され、中継通信局ＲＡ１の通知手段３２は、通信経路４中の経路４ａを介して端末通信局１に切断状態を通知する。また、部位Ｐにおける切断状態は、中継通信局ＲＡ２の検出手段３１でも同様に検出され、中継通信局ＲＡ２の通知手段３２は、通信経路４中の経路４ｂを介して端末通信局２に切断状態を通知する。
【００２０】
端末通信局１が上記通知を受けると、選択手段１２は、端末通信局２との間の通信経路として、通信経路５を選択する。例えば、通知を受けるまでの間、通信経路４を介して通信を行っていた場合には、使用する通信経路を通信経路５に切り替える。同様に、端末通信局２が上記通知を受けると、端末通信局２は、端末通信局１との間の通信経路として、通信経路５を選択する。
【００２１】
一方、図２（ｂ）は、通信経路４の部位Ｑで切断が発生した場合の通知経路を示している。端末通信局１と中継通信局ＲＡ１の間の部位Ｑで通信経路が切断状態となった場合、中継通信局ＲＡ１の検出手段３１で切断状態が検出され、中継通信局ＲＡ１の通知手段３２は、通信経路４中の経路４ｃを介して端末通信局２に切断状態を通知する。また、部位Ｑにおける切断状態は、端末通信局１の検出手段１１Ａでも同様に検出され、切断状態が検出されたことが、選択手段１２に通知される。
【００２２】
端末通信局１が上記通知を受けると、選択手段１２は、端末通信局２との間の通信経路として、通信経路５を選択する。例えば、通知を受けるまでの間、通信経路４を介して通信を行っていた場合には、使用する通信経路を通信経路５に切り替える。同様に、端末通信局２が上記通知を受けると、端末通信局２は、端末通信局１との間の通信経路として、通信経路５を選択する。
【００２３】
同様に、通信経路５のいずれかの部位で切断が発生した場合、通信経路５の正常な部分を介して、端末通信局１および端末通信局２に切断状態が通知され、端末通信局１および端末通信局２間の通信で使用する通信経路として通信経路４が選択される。
【００２４】
以上のように、本実施形態の通信ネットワークシステムでは、隣り合う通信局間で接続状態を診断し、通信異常が発生した場合には端末通信局に接続の切断を通知している。このため、端末通信局で切断状態の発生を直ちに認識することができ、通信経路の切り替えを迅速に行えるので、通信が途切れる時間を短縮できる。
【００２５】
また、切断状態の通知に切断部位を特定する情報を含めることにより、切断部位が容易に特定可能となり、復帰作業の負担を大幅に軽減できる。
【００２６】
本発明による通信ネットワークシステムは、通信経路が二重化されている場合に限定されない。図３（ａ）は、１つの通信経路により端末通信局間が接続される実施形態の構成を示すブロック図、図３（ｂ）は、端末通信局および中継通信局の構成を示すブロック図である。
【００２７】
図３（ａ）に示すように、本実施形態の通信ネットワークシステムは、端末通信局１と、端末通信局２と、端末通信局１および端末通信局２を接続する通信経路６を含んで構成される。通信経路６は、中継通信局Ｒ１，Ｒ２，・・・Ｒｎを介して形成されている。
【００２８】
端末通信局１および端末通信局２は、通信経路６を用いて通信を実行する。
【００２９】
図３（ｂ）に示すように、端末通信局１は、隣接する中継通信局Ｒ１との間の接続の切断状態を検出する検出手段１１Ａを構成する。端末通信局２も、端末通信局１と同様に構成されている。
【００３０】
また、中継通信局Ｒ１は、隣り合った通信局（端末通信局１および中継通信局Ｒ２）との間の接続の切断状態を検出する検出手段３４と、検出手段３４で切断状態が検出された場合に、切断状態が検出されたことを、端末通信局１および端末通信局２に通知する通知手段３５と、を構成する。他の中継通信局Ｒ２，・・・Ｒｎも同様に構成される。
【００３１】
次に、本実施形態の通信ネットワークシステムの動作について説明する。
【００３２】
互いに隣り合った通信局間では、各検出手段（検出手段１１Ａおよび検出手段３４）の間で、常時、IEEE802.3のリンクパルスの送受信が実行され、送受信が不能となった場合、各検出手段では当該隣接する通信局との間の接続が切断状態にあると判断する。この場合、各中継通信局では、検出手段３４において接続の切断状態が検出されると、通知手段３５は通信経路６の正常部分を用いて、端末通信局１および端末通信局２に切断状態が検出されたことを通知する。
【００３３】
図４（ａ）は、通信経路６の部位Ｓで切断が発生した場合の通知経路を示している。中継通信局Ｒ１と中継通信局Ｒ２の間の部位Ｓで通信経路が切断状態となった場合、中継通信局Ｒ１の検出手段３４で切断状態が検出され、中継通信局Ｒ１の通知手段３５は、通信経路６中の経路６ａを介して端末通信局１に切断状態を通知する。また、部位Ｓにおける切断状態は、中継通信局Ｒ２の検出手段３４でも同様に検出され、中継通信局Ｒ２の通知手段３５は、通信経路６中の経路６ｂを介して端末通信局２に切断状態を通知する。
【００３４】
一方、図４（ｂ）は、通信経路６の部位Ｔで切断が発生した場合の通知経路を示している。端末通信局１と中継通信局Ｒ１の間の部位Ｔで通信経路が切断状態となった場合、中継通信局Ｒ１の検出手段３４で切断状態が検出され、中継通信局Ｒ１の通知手段３５は、通信経路６中の経路６ｃを介して端末通信局２に切断状態を通知する。また、部位Ｔにおける切断状態は、端末通信局１の検出手段１１Ａでも同様に検出される。
【００３５】
このように、図３および図４に示す通信ネットワークシステムでは、隣り合う通信局間で接続状態を診断し、通信異常が発生した場合には端末通信局に接続の切断を通知している。このため、端末通信局で切断状態の発生を直ちに認識することができ、適切な処理を迅速に実行できる。
【００３６】
また、切断状態の通知に切断部位を特定する情報を含めることにより、切断部位が容易に特定可能となり、復帰作業の負担を大幅に軽減できる。
【００３７】
以上説明したように、本発明の通信ネットワークシステムによれば、通信局間での通信異常が検出された場合に、通信経路の正常部分を介して、その通信異常を端末通信局に通知するので、通信異常を迅速に通知できる。また、本発明の通信ネットワークシステムによれば、通信局間での通信異常が検出された場合に、通信経路の正常部分を介して、その通信異常を端末通信局に通知し、通信異常が検出されていない他の通信経路を選択するので、通信経路を迅速に切り替えることができる。
【００３８】
本発明の適用範囲は上記実施形態に限定されることはない。本発明は、中継通信局を介する通信経路によって端末通信局間が接続された通信ネットワークシステムに対し、広く適用することができる。
【図面の簡単な説明】
【００３９】
【図１】一実施形態の通信ネットワークシステムの構成を示すブロック図であり、（ａ）は通信ネットワークシステムの構成を示すブロック図、（ｂ）は、端末通信局および中継通信局の構成を示すブロック図。
【図２】通信経路で切断が発生した場合の通知経路を示す図であり、（ａ）は、通信経路の部位Ｐで切断が発生した場合の通知経路を示す図、（ｂ）は、通信経路の部位Ｑで切断が発生した場合の通知経路を示す図。
【図３】一実施形態の通信ネットワークシステムの構成を示すブロック図であり、（ａ）は、１つの通信経路により端末通信局間が接続される構成を示すブロック図、図３（ｂ）は、端末通信局および中継通信局の構成を示すブロック図。
【図４】通信経路で切断が発生した場合の通知経路を示す図であり、（ａ）は、通信経路の部位Ｓで切断が発生した場合の通知経路を示す図、（ｂ）は、通信経路の部位Ｔで切断が発生した場合の通知経路を示す図。
【符号の説明】
【００４０】
１      端末通信局
２      端末通信局
１１Ａ，１１Ｂ  検出手段
１２    選択手段
３１，３４  検出手段
３２，３５  通知手段
Ｒ１〜Ｒｎ    中継通信局
ＲＡ１〜ＲＡｎ    中継通信局
ＲＢ１〜ＲＢｍ    中継通信局
【図１】
2008166875.tif 000003
【図２】
2008166875.tif 000004
【図３】
2008166875.tif 000005
【図４】
2008166875.tif 000006